(57)【特許請求の範囲】
【請求項１】
直立した支柱Ａに製品Ｂを取付けるための汎用性ある支柱取付け構造であって、
前記支柱Ａに沿って配置する縦長の平板状部材１の上部と下部には、平板状部材１の裏面方向に伸ばして前記支柱Ａと交差するように配置された折曲げ片１ａと、その折曲げ片１ａがある平板状部材１に向いた把手折曲げ片５ｂを備えた可動把手５を設け、
前記平板状部材１の上部と下部において可動把手５は前記支軸７を中心にバネ８によって回動可能に配置されて、平板状部材１の折曲げ片１ａと可動把手５の把手折曲げ片５ｂとの間で前記支柱Ａの上下を前記バネ８の力で挟着すると共に、
前記支柱Ａに固定する前記平板状部材１には前記製品Ｂを取付ける為の取付手段２を配置し、その取付手段２を使って支柱Ａとは離れた反対側の平板状部材１の表面に製品Ｂが取付けられることを特徴とする製品の支柱取付用基板。
【請求項２】
前記折曲げ片１ａ及び前記把手折曲げ片５ｂには、前記支柱Ａに食い込む歯形を設けたことを特徴とする請求項１に記載の製品の支柱取付用基板。
【請求項３】
前記平板状部材１の上部と下部で前記折曲げ片１ａの側方には、片側方向に伸びる把手３が前記平板状部材１と一体に設けてあり、
その把手３と前記平板状部材１の側端との連接部付近には、平板状部材１の裏面方向に向かう二つの突片４を夫々の把手３毎に設けており、
前記可動把手５には、前記把手折曲げ片５ｂを配置した端部５ａと、前記把手３の裏面と対向する外端部と、前記二つの突片４に嵌合する二つの可動突片６とを設け、
前記支軸７は突片４と可動突片６に設けた軸孔と嵌合して、前記可動把手５が回動可能になっていることを特徴とする請求項１又は２に記載の製品の支柱取付用基板。
【請求項４】
前記突片４を含む前記把手３部分は前記平板状部材１とは別部品で構成し、前記平板状部材１と前記把手３部分との間に溶接もしくは螺合による一体化手段を備えていることを特徴とする請求項３に記載の製品の支柱取付用基板。
【請求項５】
前記支柱Ａは床面から直立した丸棒状の部材で構成されている請求項１乃至４の何れか１項に記載の製品の支柱取付用基板。
【請求項６】
前記支柱Ａは床面から直立した板厚の大きな平板状の部材で構成されている請求項１乃至４の何れか１項に記載の製品の支柱取付用基板。
【請求項７】
前記製品Ｂの側方には平面状の取付面が形成され、その製品Ｂは平面状の取付面を使って前記平板状部材１の表面に密着しながら前記支柱Ａとは離れた位置に取付けられていることを特徴とする請求項１乃至６の何れか１項に記載の製品の支柱取付用基板。
【発明の詳細な説明】
【０００１】
【産業上の利用分野】
この発明は支柱に何らかの製品を取付ける為の固定具に関するものである。
【０００２】
【従来の技術】
直立した丸棒状の支柱に平板状の取付面を持つ製品を取付ける為には、支柱と製品との接触面積が小さなものになってしまうから、直接取付する為には強度が不足したりぐらついたりすることがあり、重量のある製品では簡単には固定することができない。この為、製品に見合った大きさの平板状の取付面を有する固定部材を設け、この固定部材には対応する支柱に合わせた専用の取付け形状を設けて平板状部材を支柱に直接固定しており、このようにして支柱に取付けた平板状部材に製品を固定することが行なわれている。
【０００３】
即ち、従来例を示す図６に示すように、平板状部材の裏面に溶接もしくは螺合によって支柱の表面と一致する面を設けた突片が固着してあり、また、この突片と対を成して支柱の表面と一致する面を設けて支柱を挾み込む取付金具を設け、突片と取付金具との間で支柱を挾み込むようにしながら螺子にて締め付けることで、支柱の途中に平板状部材を固定するものである。そして、この平板状部材には製品が取付けられる平面を形成したから、この平面に目的である製品を取付け固定することができる。
【０００４】
【発明が解決しようとする課題】
上記のように従来の平板状部材を固定する突片や取付金具は、強い固定を期待する時には支柱の外表面の形状に一致させる必要があり、支柱毎の専用の部品となってしまうものである。この為、取付の確実性と安全性を保証する為には各種の形状の突片や取付金具がついた、たくさんの種類の平板状部材を用意しなけらばならず、汎用性ある物品にならないから製品価格が高くなってしまうものであった。
【０００５】
また、一般の販売店では在庫が少なく種類も少しか仕入れないから、例えば市販の突っ張りポールを立てて部屋の任意の場所に設けた支柱に製品を取付ける時に、支柱に適合する平板状部材の在庫がないので不適合の平板状部材を購入してしまう時があり、この平板状部材を使って固定した時には充分な強度が得られず、平板状部材が製品と一緒に常に落下する危険が伴うものである。
【０００６】
また、従来の平板状部材では支柱に固定する際に工具を使って螺子を廻す必要があり、この時に充分な締め付けが行なわれずに締め付け強度が不足すれば、平板状部材に取付け可能の重量を保証する強度が得られないものであり、せっかく指定した専用の平板状部材を使っても取付けた製品が落下する恐れがあった。また、取付に際しては、平板状部材の本体を支柱に添えながら取付金具と螺子の三点を片手で支え、かつ、位置決めしながら工具を使って固定することになるから、一人で簡単には取付しにくいという問題点があった。
【０００７】
【課題を解決するための手段】
この発明は上記の課題を解決するもので、直立した支柱Ａに製品Ｂを取付けるための汎用性ある支柱取付け構造であって、前記支柱Ａに沿って配置する縦長の平板状部材１の上部と下部には、平板状部材１の裏面方向に伸ばして前記支柱Ａと交差するように配置された折曲げ片１ａと、その折曲げ片１ａがある平板状部材１に向いた把手折曲げ片５ｂを備えた可動把手５を設け、前記平板状部材１の上部と下部において可動把手５は前記支軸７を中心にバネ８によって回動可能に配置されて、平板状部材１の折曲げ片１ａと可動把手５の把手折曲げ片５ｂとの間で前記支柱Ａの上下を前記バネ８の力で挟着すると共に、前記支柱Ａに固定する前記平板状部材１には前記製品Ｂを取付ける為の取付手段２を配置し、その取付手段２を使って支柱Ａとは離れた反対側の平板状部材１の表面に製品Ｂが取付けられるようにしたものである。
【０００８】
また、前記折曲げ片１ａ及び前記把手折曲げ片５ｂには、前記支柱Ａに食い込む歯形を設けると共に、前記平板状部材１の上部と下部で前記折曲げ片１ａの側方には、片側方向に伸びる把手３が前記平板状部材１と一体に設けてあり、その把手３と前記平板状部材１の側端との連接部付近には、平板状部材１の裏面方向に向かう二つの突片４を夫々の把手３毎に設けており、前記可動把手５には、前記把手折曲げ片５ｂを配置した端部５ａと、前記把手３の裏面と対向する外端部と、前記二つの突片４に嵌合する二つの可動突片６とを設け、前記支軸７は突片４と可動突片６に設けた軸孔と嵌合して、前記可動把手５が回動可能になっている。
このため、棒状の支柱Ａであっても平板状部材１は上端と下端で支柱Ａに食い込むように固定されるから、使用できる支柱Ａの形状に幅ができ、取付もぐらついたりせずに確実に固定できると共に、前記把手３を使って平板状部材１が支柱Ａに固定できるようになった。
【０００９】
更に、前記突片４を含む前記把手３部分は前記平板状部材１とは別部品で構成し、前記平板状部材１と前記把手３部分との間に溶接もしくは螺合による一体化手段を備えている構造にすれば、把手３に係る部材の共通部品化が計れるものである。
【００１０】
【作用】
この発明は平板状部材１を支柱Ａに固定する為の可動把手５は平板状部材１の上下端に取付けてあるから、取付手段２によって製品Ｂを平板状部材１に取付けても滑り落ちず、また、平板状部材１を支柱Ａへ固定する際に従来のような螺子８ではなくバネ８を使い、固着力もこのバネ８の力で常に一定であるから、製品Ｂは安定した状態で取付手段２を使って支柱Ａとは離れた反対側の平板状部材１の表面に取付けて使用することができる。
【００１１】
また、平板状部材１を支柱Ａに固定する際に従来のような螺子８ではなく、把手３部分に組込んだバネ８にて行なうから、従来品のように螺子を廻す時のような工具は不用であり、上下二ヶ所にある平板状部材１の把手３と対になる可動把手５とを、両方とも握ってバネ８に抗して端部５ａを広げ、平板状部材１と端部５ａとの間で支柱Ａを挟着することで平板状部材１の支柱Ａへの取付が可能になった。
【００１２】
更に、平板状部材１の固着位置を変更する必要が出てきた時には、両手で上下の把手３と可動把手５とを握りながら希望する位置へ移動させ、この位置で手を離せばそのまま移動後の位置に平板状部材１が固定でき、製品Ｂを取付けて使用できるものである。
【００１３】
【実施例】
実施例を示す図によってこの構成を説明すると、Ａは床面などから直立して配置した支柱であり、該支柱Ａは室外では地面に埋め込んだ柱などからなっており、室内では床面と部屋の天井との間に配置した柱である。Ｂはこの支柱Ａに取付ける各種の製品であり、該製品Ｂを取付ける為の器具が本件発明となる支柱取付用基板である。
【００１４】
１は支柱Ａに固着する為の基板本体を構成する平板状部材、２は平板状部材１の表面に構成した製品Ｂの為の取付手段であり、図４の実施例では平板状部材１の２ヶ所に取付手段２が形成されており、この２ヶ所の取付手段２を使って製品ＢであるＬ形の植木鉢台を設置し、この台の上に植物を植えた植木鉢を載せている。また、図５の実施例は平板状部材１の平面と密着する裏面を持ったスピーカボックスで製品Ｂを構成しており、その他、支柱Ａに壁かけ扇風機など各種の製品Ｂを平板状部材１を使って取付することができる。
【００１５】
従来例を示す図６において、９は平板状部材１の裏面に取付けて支柱Ａの片側の表面に一致する面を設けた取付板、１０は支柱Ａの他の片側の表面に一致する面を設けた押え板、１１は支柱Ａを挾んで押え板１０を取付板９に固着する為の螺子であり、該螺子１１を強く締め付けることによって取付板９は確実に支柱Ａに固定することができ、平板状部材１に製品Ｂを取付けても、支柱取付用基板全体が落下することはない。
【００１６】
しかし、螺子１１の取付はドライバーなどの工具を使って強く締め付ける必要があり、取付に際しては取付板９を設けた平板状部材１と押え板１０を支柱Ａの周りに片手で支えながら螺子孔に螺子１１を差し込み、更に、ドライバーなどの工具を使って螺子１１を締め付けることが必要で、一人で作業するにはかなりきつく、失敗も多くなるものである。
【００１７】
また、取付板９と押え板１０とが支柱Ａの表面に密着できる必要があり、支柱Ａの外径が違うと螺子１１を締付けても確実な固定が保証できないので、支柱Ａの外径に合わせて複数の平板状部材１を用意しなければならず、指定していない支柱Ａに取付すると固着不良になるものである。
【００１８】
このように螺子１１の締め付け不良が起きた時には、平板状部材１に製品Ｂを取付けると一緒に落下して製品Ｂを壊してしまう時があり、支柱取付用基板を使って取付ることができる製品荷重が決められていても、取付状態によってはこの荷重に耐えられなくなるから実質的な耐荷重の保証が非常に難しくなる。
【００１９】
この発明は上記の課題を解決するもので、３は平板状部材１の上部と下部から片側方向へ伸びる把手、５は夫々の把手３の裏面側で対になるように配置した可動把手、４は把手３と平板状部材１の連接部付近から平板状部材１の裏側方向へ向かう二つの突片、６は把手３の突片４に対応して可動把手５から突片４に向けて設けた可動突片、７は突片４と可動突片６に設けた軸孔に嵌合する支軸であり、可動把手５は支軸７を中心に回動することができる。
【００２０】
５ａは平板状部材１の裏面に向けて可動把手１から伸ばした可動把手の端部、８は支軸７を中心に回動する可動把手５と平板状部材１に設けた把手３との握り部分を開方向に駆動するバネであり、該把手３と可動把手５を一緒に握って可動把手５の端部５ａを押し開き、この間に支柱Ａを挿入してバネ８の力で挟着している。
【００２１】
把手３は平板状部材１の上下の片側に向いて伸びているから、両手でこの把手３部分を握ることができ、この握った状態のまま両手で平板状部材１を持ち、支柱Ａを平板状部材１の裏面にくわえ込んだ状態で握った手を離せば、バネ８の力でそのまま支柱Ａが平板状部材１の裏面に固着できるものであり、この作業は誰にでも簡単にできて、特別な工具は不用である。また、少し把手３部分を握った状態で支柱Ａに沿って平板状部材１を動かすことができ、平板状部材１の固定位置の微調整が簡単にできる。その後、平板状部材１の固定位置が決まった状態で取付手段２を使って製品Ｂを取付けて使用することができる。
【００２２】
従来の問題点は支柱Ａの直径に合わせて固定部分が異なった平板状部材１を複数個用意しなければならない問題点があり、この発明のように可動把手５の端部５ａがバネ８の力で支柱Ａをくわえ込む構造であれば、支柱Ａの直径が変化しても確実に固定できるから、一種類の平板状部材１で兼用できるようになった。
【００２３】
更に、特別な工具を使用せずにバネ８の力で支柱Ａを挟着したから、支柱Ａの締付け力の変化はなく、挟着する力は常に一定になるから、従来のように取付不良は起こらず、平板状部材１に取付ける製品Ｂの荷重は仕様書通りになり、安心して所定の重さの製品Ｂが取付できるようになった。
【００２４】
一方、取付できる製品Ｂの重さを大きくするにはバネ８の力を強くする必要があるが、バネ８の力を強くすると把手３を握る為に大きな力が必要になり、握力の弱い人は設置できなくなる問題点がある。
【００２５】
１ａは平板状部材１の上端と下端を裏面方向に伸ばして形成した折曲げ片、５ｂは可動把手５の端部５ａから平板状部材１に向けて形成した把手折曲げ片であり、折曲げ片１ａと把手折曲げ片５ｂの先端には支柱Ａに食い込むことができる歯形が設けてある。この為、把手３が握り易いバネ８の力であっても、折曲げ片１ａと把手折曲げ片５ｂの歯形が支柱Ａに食い込むから、平板状部材１は支柱Ａに強く固着でき、簡単に平板状部材１が取付けできても耐荷重は向上できたものである。
【００２６】
図３の実施例において、１２はスポット溶接跡であり、平板状部材１と把手３は素材や板厚が違っている別部材によって夫々形成し、スポット溶接によって一体に形成したものであり、この取扱いは平板状部材１の一部に把手３を同じ素材をプレス加工によって形成したものと変わりないものである。
【００２７】
また、この構造の時にはスポット溶接される把手３部分と突片４、支軸７、可動把手５といった部品が単独で構成でき、例えば使用する製品Ｂの形状などによって、平板状部材１の取付面積を変えたい時には、把手３の関連部品はそのまま使いながら、プレス加工によって何種か平板状部材１を用意しておけば、簡単に対応できるものである。尚、別部材で形成した把手３部分を一体化するに当たり、図３はスポット溶接の実施例を示しているが、他の一体化手段である、螺子止めなどの方法でも実施できるものである。
【００２８】
また、この発明の説明では支柱Ａの形状として丸棒状の物品によって説明したが、必ずしも丸棒に限定する必要はなく、角棒であったり板厚の大きな平板状の物品の端面を支柱Ａに見立てて把手３と可動把手５とによって挟着して平板状部材１を固定してもよく、支柱Ａの形状を選ばない特徴を最大限に利用して、製品Ｂを任意の場所に取付けて使用できるものである。
【００２９】
【発明の効果】
上記のように従来品では夫々の支柱Ａにあった独自の取付部分を設けた平板状部材１を使い、固定部分も工具を使う螺子による締付けによって平板状部材１を固定していたが、本発明は平板状部材１の上下から片側方向に延びる把手３を設け、この把手３の付近に突片４と支軸７によって可動把手５を設けており、支軸７を中心にバネ８によって可動把手５が回動して、可動把手５の端部５ａが支柱Ａを挟着して固定する構造である。
【００３０】
この為、取付時に螺子を廻す従来構造では固定するまでの間に各部品を片手で支えねばならず不安定であったが、本発明では螺子を廻す必要がないので取付工具を用意する必要がない。また、取付方法は把手３と可動把手５を握り込んで平板状部材１と可動把手５の端部５ａとの間隔を広げて、その間に支柱Ａを入れて挟着させるだけであり、従来に比べて取付が容易になった。また、支柱Ａの径が違っても確実に平板状部材１が固着できるから、従来のように専用の平板状部材１を多数用意する必要はなくなった。
【００３１】
更に、螺子の締付けによって平板状部材１を固定するのではなく、取付後の強度はバネ８の力で決まるから、螺子の締付け状態によって取付け強度がバラつく恐れはなく、平板状部材１の取付手段２に安心して製品Ｂを取付けて使用することができた。
【００３２】
また、平板状部材１の上下端には裏面方向への折曲げ片１ａを設け、一方、可動把手５の端部５ａには把手折曲げ片５ｂを平板状部材１に向けて設け、共に支柱Ａに食い込む歯形を設けたから、支柱Ａの表面の状態に影響されずに強固に平板状部材１が支柱Ａに取付でき、製品Ｂを取付けたまま落下するようなトラブルは起きなくなった。
【００３３】
更に、平板状部材１の上下端から片側に延びる把手３は平板状部材１とは一体に形成せずに、別部材で構成してから溶接や螺合によって一体に固着してもよく、この構造によれば平板状部材１の大きさを変更しても把手３や可動把手５の構造については共通部品とすることができ、複数の平板状部材１を用意する時には部品の共通化によって安価に提供できるようになった。
【図面の簡単な説明】
【図１】この発明品を支柱に取付けた状態を示す平面図である。
【図２】図１に示すこの発明品を支柱に取付けた状態を示す要部の正面図である。
【図３】この発明品の他の実施例を支柱に取付けた状態を示す要部の正面図である。
【図４】この発明品の実施状況を示す側面図であり、支柱にＬ形の載架台を取付して植木ばち台として使用する状態を示す。
【図５】この発明品の実施状況を示す側面図であり、支柱に取付けた平板状部材に直接スピーカーを取付けて使用する状態を示す。
【図６】平板状部材を支柱に取付ける従来例を示す横断面図である。
【符号の説明】
１    平板状部材
１ａ  折曲げ片
２    取付手段
３    把手
４    突片
５    可動把手
５ａ  端部
５ｂ  把手折曲げ片
６    可動突片
７    支軸
８    バネ
Ａ    支柱
Ｂ    製品
【図１】
0003955966.tif 000002
【図２】
0003955966.tif 000003
【図３】
0003955966.tif 000004
【図４】
0003955966.tif 000005
【図５】
0003955966.tif 000006
【図６】
0003955966.tif 000007